(57)【要約】  本発明は、冷蔵室２の背面に配される冷気ダクト１２と冷気ダクト１２に配される送風ファン１４とを備えた冷蔵庫１において、冷気ダクト１２が送風ファン１４から上方に延びる第１通路３１と、第１通路３１の上端に連結口３５を介して連結されるとともに下方に延びる第２通路３２と、第２通路３２に開口して冷蔵室２に臨む第１吐出口２ｂ及び第２吐出口２ｃとを有し、第１吐出口２ｂが第２通路３２の上端部に配され、第２吐出口２ｃが連結口３５よりも下方に配される。
2018070063.tif 000002
【特許請求の範囲】
【請求項１】
貯蔵室の背面に配される冷気ダクトと前記冷気ダクトに配される送風ファンとを備えた冷蔵庫において、前記冷気ダクトが前記送風ファンから上方に延びる第１通路と、前記第１通路の上端に連結口を介して連結されるとともに下方に延びる第２通路と、前記第２通路に開口して前記貯蔵室に臨む第１吐出口及び第２吐出口とを有し、前記第１吐出口が前記第２通路の上端部に配され、前記第２吐出口が前記連結口よりも下方に配されることを特徴とする冷蔵庫。
【請求項２】
前記冷気ダクトの前面を覆う前面板を備え、
前記第１吐出口及び前記第２吐出口が前記前面板上に開口し、前記第２通路の底壁に対して前記第２吐出口の下端が同じ高さ又は下方に配されることを特徴とする請求項１に記載の冷蔵庫。
【請求項３】
前記第２通路が前記第１通路の左右方向に隣接し、
前記第１吐出口の前記連結口側の端部と前記連結口との間に前壁から後方に突出して上下に延びる突出部を設けたことを特徴とする請求項１又は請求項２に記載の冷蔵庫。
【請求項４】
前記第２通路が前記第１通路の前方に隣接し、前記第１吐出口が前記連通口よりも下方に配されることを特徴とする請求項１〜請求項３のいずれかに記載の冷蔵庫。
【請求項５】
前記第１吐出口の開口面積が前記第２吐出口の開口面積よりも大きいことを特徴とする請求項１〜請求項４のいずれかに記載の冷蔵庫。
【請求項６】
前記第２通路の側壁が前記第２通路を下方に向かって狭める方向に傾斜することを特徴とする請求項５に記載の冷蔵庫。
【請求項７】
前記第１通路の側壁が傾斜して前記第２吐出口の鉛直下方に配されることを特徴とする請求項１〜請求項６のいずれかに記載の冷蔵庫。
【発明の詳細な説明】
【技術分野】
【０００１】
本発明は、冷気を貯蔵室に吐出する冷気ダクトを有した冷蔵庫に関する。
【背景技術】
【０００２】
従来の冷蔵庫は特許文献１に開示される。この冷蔵庫は貯蔵室の背面に冷気ダクトを有している。冷気ダクト内には送風ファンが配され、冷気ダクトは送風ファンから上方に延びて形成される。また、冷気ダクトには貯蔵室に臨む吐出口が複数設けられている。送風ファンの運転により冷気が冷気ダクトを流通して吐出口から貯蔵室内に吐出され、貯蔵室内が冷却される。
【先行技術文献】
【特許文献】
【０００３】
【特許文献１】特開２０１２−２６６７７号公報
【発明の概要】
【発明が解決しようとする課題】
【０００４】
しかしながら、上記特許文献に開示された冷蔵庫によると、ユーザが貯蔵室内で飲み物をこぼした際に吐出口を介して液体が冷気ダクト内に流入する場合がある。また、貯蔵室の背壁上で結露した水滴が吐出口から冷気ダクト内に流入する場合もある。これらの場合に冷気ダクトを流下する液体が送風ファンにかかり、送風ファンの故障が発生する問題があった。【０００５】
本発明は、送風ファンの故障を防止できる冷蔵庫を提供することを目的とする。
【課題を解決するための手段】
【０００６】
上記目的を達成するために本発明の冷蔵庫は、貯蔵室の背面に配される冷気ダクトと前記冷気ダクトに配される送風ファンとを備えた冷蔵庫において、前記冷気ダクトが前記送風ファンから上方に延びる第１通路と、前記第１通路の上端に連結口を介して連結されるとともに下方に延びる第２通路と、前記第２通路に開口して前記貯蔵室に臨む第１吐出口及び第２吐出口とを有し、前記第１吐出口が前記第２通路の上端部に配され、前記第２吐出口が前記連結口よりも下方に配されることを特徴としている。【０００７】
また、本発明は上記構成の冷蔵庫において、前記冷気ダクトの前面を覆う前面板を備え、
前記第１吐出口及び前記第２吐出口が前記前面板上に開口し、前記第２通路の底壁に対して前記第２吐出口の下端が同じ高さ又は下方に配されることを特徴としている。【０００８】
また、本発明は上記構成の冷蔵庫において、前記第２通路が前記第１通路の左右方向に隣接し、前記第１吐出口の前記連結口側の端部と前記連結口との間に前壁から後方に突出して上下に延びる突出部を設けたことを特徴としている。【０００９】
また、本発明は上記構成の冷蔵庫において、前記第２通路が前記第１通路の前方に隣接し、前記第１吐出口が前記連通口よりも下方に配されることを特徴としている。【００１０】
また、本発明は上記構成の冷蔵庫において、前記第１吐出口の開口面積が前記第２吐出口の開口面積よりも大きいことを特徴としている。【００１１】
また、本発明は上記構成の冷蔵庫において、前記第２通路の側壁が前記第２通路を下方に向かって狭める方向に傾斜することを特徴としている。【００１２】
また、本発明は上記構成の冷蔵庫において、前記第１通路の側壁が傾斜して前記第２吐出口の鉛直下方に配されることを特徴としている。
【発明の効果】
【００１３】
本発明によると、冷気ダクトが送風ファンから上方に延びる第１通路と、第１通路の上端に連結口を介して連結した下方に延びる第２通路とを有する。第２通路の上端部には第１吐出口が配され、第２通路の連結口よりも下方には第２吐出口が配される。これにより、第１吐出口を介して冷気ダクトに流入した液体は第２通路を流下し、第２吐出口を介して貯蔵室に排出される。また、第２吐出口を介して冷気ダクトに流入した液体も第２吐出口を介して貯蔵室に排出される。このため、第１通路を液体が流下することによる送風ファンの故障を防止することができる。
【図面の簡単な説明】
【００１４】
【図１】本発明の第１実施形態に係る冷蔵庫の側面断面図。
【図２】本発明の第１実施形態に係る冷蔵庫の内部の正面図。
【図３】本発明の第１実施形態に係る冷蔵庫のダクト部材を前面側から視た斜視図。
【図４】本発明の第１実施形態に係る冷蔵庫のダクト部材を背面側から視た斜視図。
【図５】本発明の第１実施形態に係る冷蔵庫のダクト部材を示す背面図。
【図６】図５中のＡ−Ａ線断面図。
【図７】本発明の第２実施形態に係る冷蔵庫のダクト部材を示す背面図。
【図８】本発明の第３実施形態に係る冷蔵庫のダクト部材を示す背面図。
【図９】本発明の第４実施形態に係る冷蔵庫のダクト部材を示す背面図。
【図１０】本発明の第５実施形態に係る冷蔵庫のダクト部材を示す背面図。
【図１１】本発明の第６実施形態に係る冷蔵庫のダクト部材の縦断面図。
【発明を実施するための形態】
【００１５】
＜第１実施形態＞
以下に図面を参照して本発明の実施形態を説明する。図１、図２は第１実施形態の冷蔵庫を示す側面断面図及び正面図である。冷蔵庫１は前面が開口する箱状を成す断熱箱体７を有している。断熱箱体７の外面は外箱９により形成され、内面は内箱８により形成される。外箱９は鋼板等の金属板から成り、内箱８は樹脂成形品から成る。外箱９と内箱８との間には発泡ウレタン等の発泡断熱材１０が充填されている。
【００１６】
断熱箱体７の上部には貯蔵物を冷蔵保存して扉２ａにより前面を開閉される冷蔵室（貯蔵室）２が配される。冷蔵室２の下方には貯蔵物を冷凍保存して扉３ａにより前面を開閉される冷凍室３が断熱壁６を介して配される。冷凍室３の下部後方には冷凍サイクルを運転する圧縮機１７を配した機械室５が設けられる。
【００１７】
冷蔵室２及び冷凍室３の後方には冷気ダクト１２、１３が設けられている。冷気ダクト１２、１３は内箱８の前方に配された樹脂成形品のダクト部材１２ａ、１３ａにより形成される。冷気ダクト１２、１３の背面は内箱８により覆われる。
【００１８】
ダクト部材１２ａの左右方向の中央部には冷蔵室２に臨む吐出口２ｂ（第１吐出口）及び吐出口２ｃ（第２吐出口）が開口する。吐出口２ｂは吐出口２ｃの上方に配されている。ダクト部材１３ａには冷凍室３に臨む吐出口３ｂ及び戻り口３ｃが開口する。吐出口３ｂは戻り口３ｃの上方に配されている。
【００１９】
冷気ダクト１２、１３は断熱壁６に設けたダンパ１６を介して連通する。冷気ダクト１２の下部には送風ファン１４が設けられ、冷気ダクト１３には送風ファン１５及び冷却器２０が設けられる。
【００２０】
冷却器２０は圧縮機１７により運転される冷凍サイクルの低温部となり、冷気を生成する。送風ファン１５は冷却器２０の上方に配され、冷却器２０によって生成された冷気が送風ファン１５により送出される。
【００２１】
送風ファン１４、１５の運転時に、ダンパ１６の開閉量によって冷気ダクト１３から冷気ダクト１２に流入する風量が調整される。
【００２２】
図３、図４はダクト部材１２ａを前面側及び背面側から視た斜視図を示しており、図５はダクト部材１２ａの背面図を示している。ダクト部材１２ａは内箱８に左方に偏って取り付けられる。ダクト部材１２ａは背面側に冷気ダクト１２を凹設され、冷気ダクト１２の周壁を形成する周壁部３４が後方に突出する。冷気ダクト１２の前面は周壁部３４と一体に成形される前面板３３により覆われる。ダクト部材１２ａにより冷気ダクト１２の背壁を一体に形成し、ダクト部材１２ａとは別部材により形成した前面板３３をダクト部材１２ａの前面に配してもよい。
【００２３】
周壁部３４の後端は内箱８にシール部材（不図示）を介して当接し、前面板３３、周壁部３４及び内箱８に囲まれる領域に冷気ダクト１２が形成される。
【００２４】
冷気ダクト１２は左右方向に隣接して上下に延びる第１通路３１及び第２通路３２を有する。第１通路３１は送風ファン１４（図１参照）から上方に延びており、上端で連結口３５を介して第２通路３２と連結されている。第２通路３２は連結口３５を介して第１通路３１の上端に連結されて下方に延びている。
【００２５】
周壁部３４により第１通路３１の両側壁３４ａ、３４ｆ及び天壁３４ｂが形成される。また、周壁部３４により第２通路３２の天壁３４ｃ、両側壁３４ｄ、３４ｆ及び底壁３４ｅは形成される。側壁３４ｆの上部は第１通路３１と第２通路３２とを仕切る仕切部を形成する。
【００２６】
側壁３４ｆは上方に向かって第２通路３２から離れる方向に傾斜しており、側壁３４ｆの上端に鉛直に配された連結口３５が形成される。
【００２７】
第１通路３１は略一定の通路幅に形成され、第２通路３２の底壁３４ｅの鉛直下方に配される下部から上方に向かって第２通路３２から離れる方向に傾斜する。
【００２８】
また、第１通路３１は側壁３４ａが湾曲して形成されており、第１通路３１を上昇する冷気が側壁３４ａに沿って連結口３５へ円滑に案内される。これにより、送風ファン１４の送風効率を向上することができる。
【００２９】
第２通路３２は前面板３３上に吐出口２ｂ及び吐出口２ｃが開口しており、吐出口２ｂが第２通路３２の上端部に配されている。また、吐出口２ｃは吐出口２ｂよりも開口面積が小さく、連結口３５よりも下方に配される。吐出口２ｃの下端は第２通路３２の底壁３４ｅの上面と同じ高さに配される。
【００３０】
冷蔵室２内で飲み物をこぼして液体が吐出口２ｂから第２通路３２に流入した場合に、液体は第２通路３２を流下して吐出口２ｃから冷蔵室２に排出される。また、液体が吐出口２ｃから第２通路３２に流入した場合は直ちに吐出口２ｃから液体が排出される。このため、第１通路３１を液体が流下することによる送風ファン１４の故障を防止することができる。また、送風ファン１４の下方に配されるダンパ１６及び送風ファン１５の故障も防止することができる。
【００３１】
また、第２通路３２の側壁３４ｄ、３４ｆは第２通路３２を下方に向かって狭める方向に傾斜し、吐出口２ｃの下端が第２通路３２の底壁３４ｅに対して同じ高さに配されている。これにより、第２通路３２の底壁３４ｅ上に到達した液体は吐出口２ｃに導かれ、吐出口２ｃを介して冷蔵室２側に容易に排出することができる。なお、前面板３３上に開口する吐出口２ｃの下端を第２通路３２の底壁３４ｅに対して下方に配し、第２通路３２の下端部を前方が下がる段差形状に形成してもよい。
【００３２】
図６は図５のＡ−Ａ線断面図を示している。第２通路３２の前壁上には吐出口２ｂの連結口３５側の端部から上下に延びて後方に突出する突出部３６が設けられている。突出部３６は前面板３３に形成されたくさび状の溝部３６ａによって形成されている。突出部３６は吐出口２ｂを介して第２通路３２に流入した液体を遮り、連結口３５を介して液体が第１通路３１に流入することを防止する。また、吐出口２ｂから流入した液体を溝部３６ａに沿って下方に導き、側壁３４ｆにより吐出口２ｃに案内することができる。
【００３３】
なお、突出部３６は吐出口２ｂの連結口３５側の端部と連結口３５との間に配されていればよく、溝部３６ａを他の形状に形成してもよい。また、溝部３６ａに替えて前面板３３から後方に突出するリブにより突出部３６を形成してもよい。また、突出部３６及び溝部３６ａは第２通路３２の内箱８の壁上に設けてもよい。吐出口２ｂを介して第２通路３２に流入した液体が内箱８の壁上を伝って下方に導かれ、連結口３５を介して液体が第１通路３１に流入することを防止することができる。
【００３４】
また、第１通路３１の側壁３４ｆの下部は傾斜して吐出口２ｃの鉛直下方に配されている。これにより、底壁３４ｅと内箱８との隙間から液体が第２通路３２の下方に漏出した場合に、液体が第１通路３１の側壁３４ｆの外面に沿って下方に流れる。これにより、第２通路３２から漏出した液体が第１通路３１に流入することを防止できる。
【００３５】
また、吐出口２ｂの開口面積が吐出口２ｃの開口面積よりも大きいため、冷蔵室２の上部から吐出される冷気が多くなる。このため、冷蔵室２内を自重により降下する冷気が行き渡り、冷蔵室２の冷却効率を向上することができる。
【００３６】
本実施形態によると、冷気ダクト１２が送風ファン１４から上方に延びる第１通路３１と、第１通路３１の上端に連結口３５を介して連結した下方に延びる第２通路３２とを有する。また、第２通路３２の上端部には吐出口２ｂ（第１吐出口）が配され、第２通路３２の連結口３５よりも下方には吐出口２ｃ（第２吐出口）が配される。これにより、吐出口２ｂを介して冷気ダクト１２に流入した液体は第２通路３２を流下し、吐出口２ｃを介して冷蔵室２に排出される。また、吐出口２ｃを介して冷気ダクト１２に流入した液体は直ちに吐出口２ｃを介して冷蔵室２に排出される。このため、吐出口２ｂ、２ｃから冷気ダクト１２に流入した液体が第１通路３１に流入しないため、第１通路３１を液体が流下することによる送風ファン１４の故障を防止することができる。
【００３７】
また、冷気ダクト１２の前面を覆う前面板３３上に吐出口２ｂ及び吐出口２ｃが開口し、第２通路３２の底壁３４ｅに対して吐出口２ｃの下端が同じ高さ又は下方に配される。これにより、第２通路３２の底壁３４ｅに到達した液体を吐出口２ｃから確実に排出し、底壁３４ｅ上の貯液を防止することができる。
【００３８】
また、吐出口２ｂの連結口３５側の端部と連結口３５との間に前壁（前面板３３）から後方に突出して上下に延びる突出部３６が設けられる。これにより、吐出口２ｂを介して第２通路３２に流入した液体を遮り、連結口３５を介して液体が第１通路３１に流入することをより確実に防止できる。
【００３９】
また、吐出口２ｂの開口面積が吐出口２ｃの開口面積よりも大きいので、冷蔵室２の上部から多くの冷気を吐出して冷蔵室２の冷却効率を向上することができる。
【００４０】
また、第２通路３２の側壁３４ｆが第２通路３２を下方に向かって狭める方向に傾斜するので、第２通路３２を流下する液体をより確実に吐出口２ｃに導くことができる。
【００４１】
また、第１通路３１の側壁３４ｆの下部が傾斜して吐出口２ｃの鉛直下方に配されている。これにより、底壁３４ｅと内箱８との隙間から第２通路３２の下方に漏出した液体が側壁３４ｆ外面に沿って下方に流れる。これにより、第２通路３２から漏出した液体が第１通路３１に流入することを防止できる。
【００４２】
＜第２実施形態＞
次に、図７は第２実施形態に係る冷蔵庫１のダクト部材１２ａの背面図を示している。なお、前述の図１〜図６に示す第１実施形態と同様の部分には同一符号を付して説明を省略する。本実施形態では第１通路３１に吐出口４１が設けられる。その他の部分は第１実施形態と同様である。
【００４３】
吐出口４１は第１通路３１の側壁３４ａ上及び側壁３４ｆ上の下部に開口する。第１通路３１を上方に流通する冷気は吐出口４１を介して両側方に吐出される。これにより、第１通路３１を流通するより温度の低い冷気を冷蔵室２に吐出することができる。このため、冷蔵室２の底部をチルド温度帯等の低温に形成することできる。
【００４４】
なお、吐出口４１は側方に面して開口しているため、冷蔵室２内で液体が入った容器を後方に倒した場合でも、吐出口４１を介して第１通路３１に液体が流入し難い。
【００４５】
＜第３実施形態＞
次に、図８は第３実施形態に係る冷蔵庫１のダクト部材１２ａの背面図を示している。なお、前述の図１〜図６に示す第１実施形態と同様の部分には同一符号を付して説明を省略する。本実施形態では第２通路３２に吐出口２ｂ及び吐出口２ｃに加えて吐出口４２が設けられる。その他の部分は第１実施形態と同様である。
【００４６】
吐出口４２は第２通路３２の前面板３３上に開口し、吐出口２ｂと吐出口２ｃとの間に配される。吐出口２ｂ及び吐出口４２を介して第２通路３２に流入した液体は第２通路３２を流下して吐出口２ｃから冷蔵室２に排出される。このため、第１通路３１への液体の流入を防止できる。
【００４７】
また、第２通路３２に吐出口４２を設けることにより、吐出口２ｂ及び吐出口４２のそれぞれの開口面積を小さくしても冷蔵室２に冷気を供給することができる。冷蔵室２内で飲み物をこぼした際に液体は上下方向に離れた吐出口２ｂ及び吐出口４２の一方のみから第２通路３２に流入する可能性が高い。このため、吐出口２ｂ及び吐出口４２の各開口面積を小さくし、第２通路３２への液体の流入を低減することができる。
【００４８】
＜第４実施形態＞
次に、図９は第４実施形態に係る冷蔵庫１のダクト部材１２ａの背面図を示している。なお、前述の図１〜図６に示す第１実施形態と同様の部分には同一符号を付して説明を省略する。本実施形態では吐出口２ｂが吐出口２ｃに対して左右方向にずれて配されている。その他の部分は第１実施形態と同様である。
【００４９】
吐出口２ｂの左右方向の中心は吐出口２ｃの左右方向の中心よりも連結口３５から離れる方向にずれて配される。また、吐出口２ｂの連結口３５側の端部は吐出口２ｃの連結口３５側の端部より連結口３５から離れる方向に距離Ｗだけずれている。
【００５０】
これにより、吐出口２ｂを介して第２通路３２に流入した液体が連結口３５を介して第１通路３１に流入することをより確実に防止できる。また、吐出口２ｂの連結口３５側の端部の鉛直下方には吐出口２ｃが配されており、吐出口２ｂから流下する液体を吐出口２ｃにより容易に導くことができる。
【００５１】
＜第５実施形態＞
次に、図１０は第５実施形態に係る冷蔵庫１のダクト部材１２ａの背面図を示している。なお、前述の図１〜図６に示す第１実施形態と同様の部分には同一符号を付して説明を省略する。本実施形態では第１通路３１が分岐部３１ａ、３１ｂに分岐する。その他の部分は第１実施形態と同様である。
【００５２】
第１通路３１は送風ファン１４（図２参照）の上方で分岐部３１ａ、３１ｂにより左右に分岐する。分岐部３１ａ、３１ｂは上下方向に延び、それぞれ上端部で連結口３５を介して第２通路３２に連結されている。また、各分岐路３１ａ、３１ｂの外側の側壁３４ａには側方に向けて吐出口４１が開口する。
【００５３】
本実施形態によると第１実施形態と同様の効果を得ることができる。また、分岐部３１ａ、３１ｂが冷蔵室２の背面の両側部に配されるため、吐出口４１から冷蔵室２の後方側端部に冷気を供給することができる。このため、冷蔵室２内を均一に冷却することができる。
【００５４】
＜第６実施形態＞
次に、図１１は第６実施形態に係る冷蔵庫１のダクト部材１２ａの縦断面図を示している。なお、前述の図１〜図６に示す第１実施形態と同様の部分には同一符号を付して説明を省略する。本実施形態では第２通路３２が第１通路３１の前方に隣接して配されている。その他の部分は第１実施形態と同様である。
【００５５】
冷気ダクト１２の第１通路３１は送風ファン１４から冷蔵室２の左右方向の中央部を上方に延びる。第２通路３２は仕切壁３４ｇを介して第１通路３１の前方に隣接し、仕切壁３４ｇの上方に形成される鉛直な連結口３５を介して第１通路３１に連通する。また、第２通路３２は第１通路３１の上部に隣接し、第１通路３１よりも上下方向に短い。
【００５６】
ダクト部材１２ａの前面は前面板３３により覆われる。前面板３３の上部３３ｂはＬ字状に屈曲し、第２通路３２の前壁及び底壁３４ｅを形成する。また、前面板３３の下部３３ａは上部３３ｂの後端から下方に延び、仕切壁３４ｇと同一面内に配される。これにより、第１通路３１の前壁が前面板３３の下部３３ａ及び仕切壁３４ｇにより形成される。
【００５７】
第２通路３２の前壁には吐出口２ｂが開口し、底壁３４ｅには吐出口２ｃが開口する。吐出口２ｂは連結口３５よりも下方に配される。
【００５８】
吐出口２ｂから冷気ダクト１２に流入した液体は第２通路３２を流下して吐出口２ｃから排出される。従って、第１実施形態と同様の効果を得ることができる。
【００５９】
また、第２通路３２が第１通路３１の前方に隣接するため、第２通路３２の下方を貯蔵領域として利用できる。このため、冷蔵庫１の容積効率を向上することができる。
【００６０】
また、吐出口２ｂが連結口３５よりも下方に配されるため、吐出口２ｂから冷気ダクト１２に勢いよく液体が流入しても第１通路３１への液体の流入を防止することができる。
【００６１】
また、吐出口２ｃが第２通路３２の底壁３４ｅに開口するため、底壁３４ｅ上の貯液を確実に防止することができる。
【産業上の利用可能性】
【００６２】
本発明によると、冷気を貯蔵室に吐出する冷気ダクトを有した冷蔵庫に利用することができる。
【符号の説明】
【００６３】
１              冷蔵庫
２              冷蔵室（貯蔵室）
２ａ、３ａ      扉
２ｂ、２ｃ、３ｂ、４１、４２  吐出口
３              冷凍室
３ｃ            戻り口
５              機械室
６              断熱壁
７              断熱箱体
８              内箱
９              外箱
１０            発泡断熱材
１２、１３      冷気ダクト
１２ａ、１３ａ  ダクト部材
１４、１５      送風ファン
１６            ダンパ
１７            圧縮機
２０            冷却器
３１            第１通路
３１ａ、３１ｂ  分岐部
３２            第２通路
３３            前面板
３３ａ          下部
３３ｂ          上部
３４            周壁部
３４ａ、３４ｄ、３４ｆ  側壁
３４ｂ、３４ｃ  天壁
３４ｅ          底壁
３４ｇ          仕切壁
３５            連結口
３６            突出部
Ｗ              距離
【図１】
2018070063.tif 000003
【図２】
2018070063.tif 000004
【図３】
2018070063.tif 000005
【図４】
2018070063.tif 000006
【図５】
2018070063.tif 000007
【図６】
2018070063.tif 000008
【図７】
2018070063.tif 000009
【図８】
2018070063.tif 000010
【図９】
2018070063.tif 000011
【図１０】
2018070063.tif 000012
【図１１】
2018070063.tif 000013
【国際調査報告】
2018070063.tif 000014
2018070063.tif 000015